(57)【要約】【課題】異種の材料から成る補助具を使用せずに、広告表示部の角度が一定に保持される訴求性に優れた広告表示部付き展示トレーを提供する。【解決手段】商品を載せるトレー本体１に広告表示部２を設けた展示トレーにおいて、前記トレー本体１の前壁４の頂部に、広告表示部２の表面板１１及び裏面板１２を順次連設し、表面板１１を前壁４から前方へ折り曲げ、裏面板１２を表面板１１の裏側後方へ折り返して、裏面板１２により表面板１１を斜め下方へ引っ張り、その状態を保持するように裏面板１２の先端部を前壁４に係合させる。金属板等の異種の補助具を使用せずに、ブランクを組み立てるだけで、店舗における展示作業の担当者にかかわらず、広告表示部２の表面板１１を一定の角度に保持することができ、膨出した曲面にすることもできる。【選択図】図１
2009183348.tif 000002
【特許請求の範囲】
【請求項１】
商品を載せるトレー本体(1)に広告表示部(2)を設けた展示トレーにおいて、前記トレー本体(1)の前壁(4)の頂部に、広告表示部(2)の表面板(11)及び裏面板(12)を順次連設し、表面板(11)を前壁(4)から前方へ折り曲げ、裏面板(12)を表面板(11)の裏側後方へ折り返して、裏面板(12)により表面板(11)を斜め下方へ引っ張り、その状態を保持するように裏面板(12)の先端部を前壁(4)に係合させたことを特徴とする広告表示部付き展示トレー。
【発明の詳細な説明】
【技術分野】
【０００１】
この発明は、店頭での商品の展示に使用され、販売促進用の広告表示部を備えた展示トレーに関するものである。
【背景技術】
【０００２】
従来、厚紙から成る広告表示付き展示トレーとして、下記特許文献１には、図１１に示すように、商品を載せるトレー本体５１の前部に、商品のキャッチコピー等を表示する広告表示部５２を設けたものが記載されている。
【０００３】
このトレー本体５１は、底壁５３に前壁５４を連設し、底壁５３の側部に前壁５４を起立状態に支持する支持片５５を設けた底敷形式とされ、広告表示部５２は、前壁５４の上部から順次繋がる裏面板５２ｂ及び表面板５２ａを折り重ねて形成され、表面板５２ａの先端からの延長部が下方へ折り曲げられて前壁５４の後面を形成している。
【０００４】
このような展示トレーは、広告表示部５２を、トレー本体５１の前壁５４の上部から前下方へ斜めに折り曲げ、表面板５２ａの表面に印刷した広告が店内の客から見えるように向けて、店頭の棚等に設置される。
【０００５】
このとき、前壁５４からの広告表示部５２の折り曲げが反発で戻ろうとするので、金属板やプラスチック板を広告表示部５２の裏面と前壁５４とに亘って貼り付け、その塑性変形により、広告表示部５２の角度を維持する対策が考えられている。
【０００６】
【特許文献１】登録実用新案第３０５０３９６号公報
【発明の開示】
【発明が解決しようとする課題】
【０００７】
しかしながら、このように金属板等を使用すると、製造に手間やコストがかかるほか、廃棄時に分別の手間を要することとなる。
【０００８】
また、小売店の展示作業を担当する者によって、広告表示部５２の角度にばらつきが生じ、展示する商品の広告主が意図する角度で展示されない場合がある。
【０００９】
そこで、この発明は、異種の材料から成る補助具を使用せずに、広告表示部の角度が一定に保持される訴求性に優れた広告表示部付き展示トレーを提供することを課題とする。
【課題を解決するための手段】
【００１０】
上記のような課題を解決するため、この発明は、商品を載せるトレー本体に広告表示部を設けた展示トレーにおいて、前記トレー本体の前壁の頂部に、広告表示部の表面板及び裏面板を順次連設し、表面板を前壁から前方へ折り曲げ、裏面板を表面板の裏側後方へ折り返して、裏面板により表面板を斜め下方へ引っ張り、その状態を保持するように裏面板の先端部を前壁に係合させたのである。
【発明の効果】
【００１１】
この発明に係る展示トレーでは、金属板等の異種の補助具を使用せずに、ブランクを組み立てるだけで、広告表示部の表面板を一定の角度に保持することができるので、製造コストを抑制することができ、商品のメーカー等へ低価格で提供できるほか、使用後の廃棄に伴う分別の手間がかかることもない。
【００１２】
また、店舗における展示作業の担当者にかかわらず、商品の広告主が意図する角度で広告表示部の表面板を傾斜させることができ、さらに表面板を膨出した曲面にすることもできるので、広告主にとって納得のできる展示効果を得ることができる。
【発明を実施するための最良の形態】
【００１３】
まず、この発明の第１実施形態を図１乃至図５に基づいて説明する。
【００１４】
図１及び図２に示すように、この展示トレーは、商品を載せるトレー本体１に広告表示部２を設けたものであり、トレー本体１は、底壁３の周囲に背の低い前壁４、後方へかけて背が高くなる一対の側壁５及び背の高い後壁６を立設した箱形式とされている。
【００１５】
図３に示すように、トレー本体１の板紙から成るブランクでは、前面板２１の一側に側面板２２及び後面板２３が、他側に側面板２２及び継代片２４がそれぞれ順次連設されている。前面板２１、側面板２２及び後面板２３の下端には、底面板２５ａ，２５ｂ及び２５ｃがそれぞれ連設されている。
【００１６】
前面板２１の上端には、２本の罫線に挟まれた額縁を介して内前板２６が連設され、その先端に断続する切目を有するリード罫を介して底重板２７が連設されている。側面板２２の傾斜した上辺には、２本の罫線に挟まれた額縁を介して内側板２８が連設され、後面板２３の上端には、内後板２９が連設されている。
【００１７】
前面板２１の上部には、内前板２６との境界から少し下方に間隔をあけて、２個の横長の差込穴２１ａが設けられ、後面板２３の上端部には、内後板２９との境界に沿ってスリット状の差込穴２３ａが設けられている。
【００１８】
一方、広告表示部２の板紙から成るブランクでは、広告表示が印刷された表面板１１の下端に、先端へかけてテーパー状に幅が狭くなる裏面板１２が連設され、表面板１１の上端に、２本の罫線に挟まれた額縁を介して貼着板１３が連設されている。裏面板１２の先端両側部には、２個の差込片１４が連設されている。
【００１９】
また、この展示トレーには、トレー本体１の内側板２８とほぼ同一形状の段ボールから成る補強板３０が使用される。
【００２０】
このようなブランクからトレーを組み立てるには、図４に示すように、トレー本体１の前面板２１、一対の側面板２２及び後面板２３を四角筒状に折り曲げて、継代片２４を後面板２３に貼り付け、内側板２８の裏面に補強板３０を貼り付ける。
【００２１】
次に、内側板２８及び補強板３０を内方向へ折り曲げ、側面板２２の内面に重ねて側壁５を形成すると共に、内後板２９を前方へ折り曲げ、後面板２３の前面に重ねて後壁６を形成し、底面板２５ａ，２５ｂ及び２５ｃを噛み合わせて底壁３を形成する。
【００２２】
また、広告表示部２の貼着板１３をトレー本体１の内前板２６の表面に貼り付けて、図５に示すように、内前板２６及び貼着板１３を下方へ折り曲げ、底重板２７を後方へ折り曲げて、底面板２５ａに重ねる。
【００２３】
その後、表面板１１を前壁４から前方へ折り曲げ、裏面板１２を表面板の裏側後方へ折り返して、裏面板１２により表面板１１を斜め下方へ引っ張り、差込片１４を下方へ折り曲げて差込穴２１ａに差し込み、裏面板１２の先端部を前壁４に係合させると、表面板１１が膨らむように湾曲し、一定の角度に傾斜した状態で保持される。
【００２４】
そして、このように組み立てたトレーを使用して、商品を展示する際には、図１及び図２に示すように、トレー本体１の内部に、後雛壇７と前雛壇８とを挿入して底壁３に載置し、後壁６の頂部の差込穴２３ａに広告パネル９の脚部を差し込んで、広告パネル９をトレー本体１に取り付ける。
【００２５】
ここで、後雛壇７は、例えば、香水のボトル等、販売する製品を並べる高い台状のものであり、前雛壇８は、サンプル品を並べる低いものとされ、サンプル品の大きさに応じて上下反転させ、底を昇降させて使用できるようになっている。
【００２６】
上記のような展示トレーでは、金属板等の異種の補助具を使用せずに、紙製のブランクを組み立てるだけで、広告表示部２の表面板１１を一定の角度に保持することができるので、製造コストを抑制することができ、商品のメーカー等へ低価格で提供できるほか、使用後の廃棄に伴う分別の手間がかかることもない。
【００２７】
また、店舗における展示作業の担当者にかかわらず、商品の広告主が意図する角度で広告表示部２の表面板１１を傾斜させ、さらに膨出した曲面にすることもできるので、広告主にとって納得のできる展示効果を得ることができる。また、裏面板１２による表面板１１の引っ張りを弱めて、表面板１１が湾曲しないようにすることもできる。
【００２８】
次に、この発明の第２実施形態を図６乃至図１０に基づいて説明する。
【００２９】
図６に示すように、この展示トレーは、商品を載せるトレー本体１に広告表示部２を設けたものであり、トレー本体１は、底壁３の前端に前壁４を立設した底敷形式とされ、使用に際しては、店頭の棚に設置される。
【００３０】
図７に示すように、トレー本体１の板紙から成るブランクでは、底面板３１の前端に内前板３２、額縁３３、前面板３４及び底裏板３５が順次連設されている。前面板３４の両側端には、前側板３６及び前裏板３７が順次連設され、額縁３３及び底裏板３５の基部両側端には折曲片３８が連設されている。
【００３１】
前裏板３７の先端には、先端から基端側へテーパ状に幅が広がり、両側基部に係止用の窪みを有する爪片３７ａが突設され、内前板３２の両側部には、押込可能な切込を入れて爪穴３２ａが設けられている。
【００３２】
前面板３４の両側部には、額縁３３との境界に沿って２個の横長の差込穴３４ａが設けられ、その下縁に係止突起３４ｂが突設されている。
【００３３】
内前板３２には、間隔をあけて３箇所に切込による保形片３９が設けられ、その先端に係止突起３９ａが突設されている。前面板３４には、間隔をあけて３個の係止穴３４ｃが設けられている。
【００３４】
一方、広告表示部２の板紙から成るブランクでは、広告表示が印刷された表面板１１の下端に、先端へかけてテーパー状に幅が狭くなる裏面板１２が連設され、表面板１１の上端に貼着板１３が連設されている。裏面板１２の先端両側部には、２個の差込片１４が連設され、裏面板１２の先端中間部には、貼着板１５が連設されている。
【００３５】
差込片１４には、先端と基端の中間位置に横向きの罫線が入れられ、この罫線に沿って横長の係止穴１４ａが設けられている。裏面板１２には、間隔をあけて３個の切込による保形片１６が設けられ、その先端縁及び基端罫線は丸みを帯びたものとされている。
【００３６】
このようなブランクからトレーを組み立てるには、図８に示すように、トレー本体１の底面板３１から前面板３４を裏側へ折り返して、底裏板３５の先端側部分を底面板３１の裏面に貼り付け、扁平に倒された前壁４を形成する。また、広告表示部２の裏面板１２を表面板１１の裏側へ折り返し、貼着板１３を額縁３３の表面に貼り付ける。
【００３７】
このような折畳状態では、嵩張ることがないので、このトレーは、商品を梱包する外箱に同梱して、別途輸送コストをかけることなく、商品のメーカーから小売店へ配送することができる。
【００３８】
そして、このように組み立てたトレーを使用して、商品を展示する際には、図９（ａ）に示すように、前壁４を四角筒状に組み立て、折曲片３８を対向する方向に折り曲げ、その外側に被せるように前側板３６を後方へ折り曲げて、前壁４の両側面を閉じる。
【００３９】
次に、図９（ｂ）に示すように、前裏板３７を内前板３２の後面に沿わせつつ、爪片３７ａを爪穴３２ａに差し込み、保形片３９を前方へ折り曲げ、図１０に示すように、係止突起３９ａを係止穴３４ｃに嵌め込むと、前壁４が保形される。
【００４０】
その後、表面板１１を前壁４から前方へ折り曲げ、裏面板１２を表面板の裏側後方へ折り返して、裏面板１２により表面板１１を斜め下方へ引っ張り、差込片１４を差込穴３４ａに差し込み、係止突起３４ｂを係止穴１４ａに嵌め込んで、裏面板１２の先端部を前壁４に係合させ、また、保形片１６を押し込んで、その先端縁を表面板１１の裏面に当接させると、表面板１１が膨らむように湾曲し、一定の角度に傾斜した状態で保持される。
【００４１】
上記のような展示トレーにおいても、金属板等の異種の補助具を使用せずに、紙製のブランクを組み立てるだけで、広告表示部２の表面板１１を一定の角度に保持することができるので、製造コストを抑制することができ、商品のメーカー等へ低価格で提供できるほか、使用後の廃棄に伴う分別の手間がかかることもない。
【００４２】
また、店舗における展示作業の担当者にかかわらず、商品の広告主が意図する角度で広告表示部２の表面板１１を傾斜させ、さらに膨出した曲面にすることもできるので、広告主にとって納得のできる展示効果を得ることができる。また、裏面板１２による表面板１１の引っ張りを弱めて、表面板１１が湾曲しないようにすることもできる。
【００４３】
なお、上記各実施形態では、トレー本体１と広告表示部２とを別体のブランクから形成して貼り合わせるものを例示したが、トレー本体１と広告表示部２とを一体のブランクから形成して、同様の機能を有するものとすることもできる。
【図面の簡単な説明】
【００４４】
【図１】この発明の第１実施形態に係る展示トレーの使用状態を示す斜視図
【図２】同上のトレーと付属品の分解斜視図
【図３】同上のトレー本体と広告表示部のブランクを示す図
【図４】同上のトレーの組立過程を示す斜視図
【図５】同上の使用状態におけるトレー前部を示す拡大縦断側面図
【図６】この発明の第２実施形態に係る展示トレーの使用状態を示す斜視図
【図７】同上のトレー本体と広告表示部のブランクを示す図
【図８】同上のトレーの組立過程を示す下方からの斜視図
【図９】同上のトレーの組立過程を示す後方からの斜視図
【図１０】同上の使用状態におけるトレー前部を示す拡大縦断側面図
【図１１】従来の展示トレーの使用状態を示す後方からの斜視図
【符号の説明】
【００４５】
１  トレー本体
２  広告表示部
３  底壁
４  前壁
５  側壁
６  後壁
７  後雛壇
８  前雛壇
９  広告パネル
１１  表面板
１２  裏面板
１３  貼着板
１４  差込片
１４ａ  係止穴
１５  貼着板
１６  保形片
２１  前面板
２１ａ  差込穴
２２  側面板
２３  後面板
２３ａ  差込穴
２４  継代片
２５ａ，２５ｂ，２５ｃ  底面板
２６  内前板
２７  底重板
２８  内側板
２９  内後板
３０  補強板
３１  底面板
３２  内前板
３２ａ  爪穴
３３  額縁
３４  前面板
３４ａ  差込穴
３４ｂ  係止突起
３４ｃ  係止穴
３５  底裏板
３６  前側板
３７  前裏板
３７ａ  爪片
３８  折曲片
３９  保形片
３９ａ  係止突起
【図１】
2009183348.tif 000003
【図２】
2009183348.tif 000004
【図３】
2009183348.tif 000005
【図４】
2009183348.tif 000006
【図５】
2009183348.tif 000007
【図６】
2009183348.tif 000008
【図７】
2009183348.tif 000009
【図８】
2009183348.tif 000010
【図９】
2009183348.tif 000011
【図１０】
2009183348.tif 000012
【図１１】
2009183348.tif 000013